(57)【要約】      （修正有）【課題】圧縮機の運転率を低減してエネルギ消費を抑制可能な冷蔵庫を提供する。【解決手段】蒸発器を通過した冷気を開の状態で冷蔵室及び冷凍室の両方に流入させ、閉の状態で冷凍室にのみ流入させるダンパと、冷蔵室内に配置された冷蔵室温度センサの測定値がダンパ開温度まで上昇するとダンパを閉から開に変更し、冷蔵室温度センサの測定値がダンパ閉温度まで下降するとダンパを開から閉に変更し、冷凍室内に配置された冷凍室温度センサの測定値が圧縮機稼働温度まで上昇すると圧縮機の稼働を開始し、冷凍室温度センサの測定値が圧縮機停止温度まで下降すると圧縮機の稼働を停止する制御を行う制御部と、を備え、通常の使用状態において、ダンパが閉の状態で圧縮機が稼働しているときに、冷蔵室温度センサの測定値がダンパ開温度に到達する前に、冷凍室温度センサの測定値が圧縮機停止温度に到達するように温度設定がなされた第１の冷却パターンを有する。【選択図】図４
2020051692.tif 000002
【特許請求の範囲】
【請求項１】
冷蔵室及び冷凍室を有する筐体と、
冷媒との熱交換により前記筐体内を流れる気体を冷却する蒸発器と、
前記蒸発器で気化された冷媒を圧縮し、凝縮器で液化させて前記蒸発器へ戻す圧縮機と、
前記蒸発器を通過した冷気を、開の状態で前記冷蔵室及び前記冷凍室の両方に流入させ、閉の状態で前記冷凍室にのみ流入させるダンパと、
前記冷蔵室内に配置された冷蔵室温度センサの測定値がダンパ開温度まで上昇すると、前記ダンパを閉から開に変更し、前記冷蔵室温度センサの測定値がダンパ閉温度まで下降すると、前記ダンパを開から閉に変更し、前記冷凍室内に配置された冷凍室温度センサの測定値が圧縮機稼働温度まで上昇すると、前記圧縮機の稼働を開始し、前記冷凍室温度センサの測定値が圧縮機停止温度まで下降すると、前記圧縮機の稼働を停止する制御を行う制御部と、
を備え、
通常の使用状態において、前記ダンパが閉の状態で前記圧縮機が稼働しているときに、
前記冷蔵室温度センサの測定値が前記ダンパ開温度に到達する前に、前記冷凍室温度センサの測定値が前記圧縮機停止温度に到達するように温度設定がなされた第１の冷却パターンを有することを特徴とする冷蔵庫。
【請求項２】
前記第１の冷却パターンで制御されるとき、前記圧縮機の稼働期間中に、前記ダンパの開閉が一度だけ行われることを特徴とする請求項１に記載の冷蔵庫。
【請求項３】
通常の使用状態において、前記ダンパが閉の状態で前記圧縮機が稼働しているときに、
前記冷凍室温度センサの測定値が前記圧縮機停止温度に到達する前に、前記冷蔵室温度センサの測定値が前記ダンパ開温度に到達するように温度設定がなされた第２の冷却パターンを更に有することを特徴とする請求項１または２に記載の冷蔵庫。
【請求項４】
前記第２の冷却パターンで制御されるとき、前記圧縮機の稼働期間中に、前記ダンパの開閉が複数回行われることを特徴とする請求項３に記載の冷蔵庫。
【請求項５】
前記冷蔵室を通常冷却するモード及び強冷却するモードがあり、
前記通常冷却するモードでは、前記第１の冷却パターンで制御され、
前記強冷却するモードでは、前記第２の冷却パターンで制御されることを特徴とする請求項３または４に記載の冷蔵庫。
【発明の詳細な説明】
【技術分野】
【０００１】
本発明は冷蔵庫に関し、特に、冷蔵室及び冷凍室を有する冷蔵庫に関する。
【背景技術】
【０００２】
冷蔵室及び冷凍室を有する冷蔵庫では、多くの場合、庫内の気体を冷却する１つの蒸発器と、冷蔵室及び冷凍室への冷気の供給を調整するダンパとを備えている。更に詳細に述べれば、蒸発器を通過した冷気を、ダンパが開の状態で冷蔵室及び冷凍室の両方に流入させ、閉の状態で冷凍室にのみ冷気を流入させて、冷蔵室及び冷凍室の温度調整を行うようになっている。
そのような冷蔵庫の中には、何らかの要因により冷凍室の温度が所定温度以上で、冷蔵室の温度が所定温度以下になると、ダンパが強制的に閉にされ、冷凍室にのみ冷気が供給されるように制御するものがある（例えば、特許文献１参照）。
【先行技術文献】
【特許文献】
【０００３】
【特許文献１】特開平５−１２６４５２号公報
【発明の概要】
【発明が解決しようとする課題】
【０００４】
このような制御により、冷凍室に収納された食品の温度上昇が抑制され、所定温度への復帰時間を短縮することができる。しかし、冷蔵室の温度が所定温度より高い場合には、ダンパは開の状態が維持され、その後、冷蔵室の温度が所定温度以下になった時点で、ダンパが開から閉に変更される。
従って、ダンパの開閉を定める設定温度によっては、圧縮機の稼働期間中に、ダンパの開閉が繰り返される可能性がある。その場合には、冷凍室側へ十分な冷気が供給できず、圧縮機の稼働期間が長くなって、圧縮機の運転率が上昇し、エネルギ消費が増大する問題が生じる。
【０００５】
従って、本発明の目的は、上記の課題を解決するものであり、圧縮機の運転率を低減して、エネルギ消費を抑制可能な冷蔵庫を提供することにある。
【課題を解決するための手段】
【０００６】
本発明の冷蔵庫は、
冷蔵室及び冷凍室を有する筐体と、
冷媒との熱交換により前記筐体内を流れる気体を冷却する蒸発器と、
前記蒸発器で気化された冷媒を圧縮し、凝縮器で液化させて前記蒸発器へ戻す圧縮機と、
前記蒸発器を通過した冷気を、開の状態で前記冷蔵室及び前記冷凍室の両方に流入させ、閉の状態で前記冷凍室にのみ流入させるダンパと、
前記冷蔵室内に配置された冷蔵室温度センサの測定値がダンパ開温度まで上昇すると、前記ダンパを閉から開に変更し、前記冷蔵室温度センサの測定値がダンパ閉温度まで下降すると、前記ダンパを開から閉に変更し、前記冷凍室内に配置された冷凍室温度センサの測定値が圧縮機稼働温度まで上昇すると、前記圧縮機の稼働を開始し、前記冷凍室温度センサの測定値が圧縮機停止温度まで下降すると、前記圧縮機の稼働を停止する制御を行う制御部と、
を備え、
通常の使用状態において、前記ダンパが閉の状態で前記圧縮機が稼働しているときに、
前記冷蔵室温度センサの測定値が前記ダンパ開温度に到達する前に、前記冷凍室温度センサの測定値が前記圧縮機停止温度に到達するように温度設定がなされた第１の冷却パターンを有することを特徴とする。
【０００７】
本発明によれば、冷蔵室温度がダンパ開温度に到達する前に、冷凍室温度が圧縮機停止温度に到達するように温度設定がなされた第１の冷却パターンを有する。よって、圧縮機が停止する前に、閉の状態のダンパが開かれることがなく、冷凍室を効率的に冷却することができる。従って、圧縮機の稼働時間を短縮して、圧縮機の運転率を低減することにより、エネルギ消費を抑制可能な冷蔵庫を提供することができる。
【０００８】
また、本発明は、
前記第１の冷却パターンで制御されるとき、前記圧縮機の稼働期間中に、前記ダンパの開閉が一度だけ行われることを特徴とする。
【０００９】
本発明によれば、第１の冷却パターンでは、圧縮機の稼働期間中に、ダンパの開閉が一度だけ行われるので、圧縮機の稼働時間を確実に短縮して、運転率を低減することができる。
【００１０】
また、本発明は、
通常の使用状態において、前記ダンパが閉の状態で前記圧縮機が稼働しているときに、
前記冷凍室温度センサの測定値が前記圧縮機停止温度に到達する前に、前記冷蔵室温度センサの測定値が前記ダンパ開温度に到達するように温度設定がなされた第２の冷却パターンを更に有することを特徴とする。
【００１１】
本発明によれば、冷凍室温度が圧縮機停止温度に到達する前に、冷蔵室温度がダンパ開温度に到達するように温度設定がなされた第２の冷却パターンを有する。第２の冷却パターンを選択した場合には、ダンパが開になる機会を増やして、冷蔵室を効果的に冷却することができる。
【００１２】
また、本発明は、
前記第２の冷却パターンで制御されるとき、前記圧縮機の稼働期間中に、前記ダンパの開閉が複数回行われることを特徴とする。
【００１３】
本発明によれば、第２の冷却パターンでは、圧縮機の稼働期間中に、前記ダンパの開閉が複数回行われるので、冷蔵室を効果的に冷却することができる。特に、冷蔵室を強く冷却する必要がある場合に有効である。
【００１４】
また、本発明は、
前記冷蔵室を通常冷却するモード及び強冷却するモードがあり、
前記通常冷却するモードでは、前記第１の冷却パターンで制御され、
前記強冷却するモードでは、前記第２の冷却パターンで制御されることを特徴とする。
【００１５】
本発明によれば、冷蔵室を通常冷却するモードでは、第１の冷却パターンにより、エネルギ消費を抑制可能な運転を行い、強冷却するモードでは、第２の冷却パターンにより、冷蔵室を効果的に冷却する運転を行うことができる。つまり、用途に応じた最適な運転を実現できる。
【発明の効果】
【００１６】
以上のように、本発明においては、圧縮機の運転率を低減して、エネルギ消費を抑制可能な冷蔵庫を提供することができる。
【図面の簡単な説明】
【００１７】
【図１Ａ】本発明１つの実施形態に係る冷蔵庫の内部構造を模式的に示す側面断面図であって、ダンパが開の場合を示す図である。
【図１Ｂ】本発明１つの実施形態に係る冷蔵庫の内部構造を模式的に示す側面断面図であって、ダンパが閉の場合を示す図である。
【図２】本発明１つの実施形態に係る冷蔵庫の制御構成を模式的に示すブロック線図である。
【図３Ａ】図１Ａ、１Ｂに示す冷蔵庫における圧縮機の制御の一例を示すフローチャートである。
【図３Ｂ】図１Ａ、１Ｂに示す冷蔵庫におけるダンパの制御の一例を示すフローチャートである。
【図４】図３Ａ、３Ｂに示す制御処理による冷蔵室及び冷凍室の温度変化を示すグラフである。
【図５Ａ】本発明１つの実施形態に係る冷蔵庫を実際に第１の冷却パターンで稼働させて計測した、冷蔵室及び冷凍室の温度、並びに圧縮機の駆動モータの電流値の測定データを示すグラフである。
【図５Ｂ】本発明１つの実施形態に係る冷蔵庫を実際に第２の冷却パターンで稼働させて計測した、冷蔵室及び冷凍室の温度、並びに圧縮機の駆動モータの電流値の測定データを示すグラフである。
【発明を実施するための形態】
【００１８】
次に、本発明の具体的な実施形態について、図面を参照しながら詳細に説明する。同様の機能を有する対応する部材については、全図で同じ参照番号を付す。
（本発明の１つの実施形態に係る冷蔵庫）
図１Ａは、本発明１つの実施形態に係る冷蔵庫の内部構造を模式的に示す側面断面図であって、ダンパが開の場合を示す図であり、図１Ｂは、ダンパが閉の場合を示す図である。
【００１９】
本発明の１つの実施形態に係る冷蔵庫２は、筐体４の上側に冷蔵室８を備え、筐体４の下側に冷凍室１０を備える。冷蔵室８の前側開口には、開閉可能な上扉６Ａが設置されている。冷凍室１０の前側開口には、開閉可能な下扉６Ｂが設置されている。
冷蔵庫２の背面下側には、圧縮機２０及び凝縮器が設置されている。冷蔵庫２の庫内には、蒸発器３０及び循環ファン４０が設置されている。
【００２０】
圧縮機２０、蒸発器３０及び凝縮器は流体接続されており、内部を冷媒が循環して、冷却サイクルを形成する。蒸発器３０は、冷媒との熱交換により筐体４内を流れる気体を冷却する。圧縮機２０は、蒸発器３０で気化された冷媒を圧縮し、凝縮器に流して液化させて蒸発器３０へ戻す。循環ファン４０により、筐体４内の気体が循環され、気体が蒸発器３０を通過するときに冷却されて冷気となる。
【００２１】
冷蔵室８及び冷凍室１０の間の仕切部４Ａには、開閉可能なダンパ５０が配置されている。図１Ａの矢印で模式的に示すように、ダンパ５０が開の状態では、蒸発器３０を通過した冷気は、冷蔵室８及び冷凍室１０の両方に流入する。一方、図１Ｂの矢印で模式的に示すように、ダンパ５０が閉の状態では、蒸発器３０を通過した冷気は、冷凍室１０にのみ流入する。
冷蔵室８には、冷蔵室８内の温度を計測する冷蔵室温度センサ６０が配置され、冷凍室１０には、冷凍室１０内の温度を計測する冷凍室温度センサ７０が配置されている。
【００２２】
ダンパ５０が開の場合、ダンパ５０を通過した冷気は、ダクト４Ｂに設けられた開口から、冷蔵室８内に流入する。そして、各収納庫８Ａ、８Ｂ、８Ｃの背面側の上部開口から収納庫内に流入し、収納庫内を流れて、前面側の上部開口から流出する。各収納庫８Ａ、８Ｂ、８Ｃから流出した気体は下側へ流れ、仕切部４Ａに設けられた開口を通って、冷凍室１０に流入する。そして、冷凍室１０の底面に沿って前面側から背面側に流れて、再び蒸発器３０の下部に到達する。
ダンパ５０の開閉に関わらず、冷気は常に冷凍室１０内を循環する。冷気は、冷凍室１０の各収納庫１０Ａ、１０Ｂの背面側の上部開口から各収納庫１０Ａ、１０Ｂ内に流入し、各収納庫１０Ａ、１０Ｂ内を流れて、前面側の上部開口から流出する。各収納庫１０Ａ、１０Ｂから流出した気体は下側へ流れ、冷凍室１０の底面に沿って前面側から背面側に流れて、再び蒸発器３０の下部に到達する。
【００２３】
ダンパ５０が閉の状態では、冷気が冷凍室１０のみに流れて、冷凍室１０が集中して冷却される。このとき、冷蔵室８には冷気が流れないので、冷蔵室８の温度は上昇する。
ダンパ５０が開の状態では、冷気が冷蔵室８及び冷凍室１０の両方に流れ、冷蔵室８の温度は下降する。しかし、冷凍室１０については、ダンパ５０が閉の場合に比べて、冷気の一部しか冷凍室１０側に流れず、かつ冷蔵室８内を循環して温度が上昇した気体が冷凍室１０に流入するので、冷凍室１０の温度は上昇する。
上記の冷蔵庫２の構造は一例であり、冷気を、開の状態で冷蔵室８及び冷凍室１０の両方に流入させ、閉の状態で冷凍室１０にのみ流入させるダンパ５０を備えた冷蔵庫２であれば、その他の任意の構造を採用できる。
【００２４】
（制御部）
図２は、本発明１つの実施形態に係る冷蔵庫の制御構成を模式的に示すブロック線図である。本実施形態に係る冷蔵庫２は、制御部１００を備える。制御部１００は、冷蔵室温度センサ６０、冷凍室温度センサ７０、圧縮機２０の駆動モータ、及びダンパ５０の開閉を行うアクチエータと電気的に接続されている。制御部１００は、冷蔵室温度センサ６０及び冷凍室温度センサ７０から送信される測定値ＴＲ、ＴＦに基づいて、圧縮機２０及びダンパ５０を制御する。
【００２５】
後述するように、制御部１００による制御処理には、第１の冷却パターンによる冷却制御、及び第２の冷却パターンによる冷却制御を行う。また、冷蔵室８の冷却モードとして、通常冷却するモード及び強冷却するモードがある。冷蔵室８を通常冷却するモードが選択された場合には、第１の冷却パターンによる冷却制御が行われ、冷蔵室８を強冷却するモードが選択された場合には、第２の冷却パターンによる冷却制御が行われる。
【００２６】
（圧縮機の制御）
図３Ａは、図１Ａ、１Ｂに示す冷蔵庫における圧縮機の制御の一例を示すフローチャートである。まず、第１の冷却パターン及び第２の冷却パターンで共通の圧縮機稼働／停止のための温度データをメモリから読み出して設定する（ステップＳ１０）。具体的には、圧縮機２０の稼働を開始させる圧縮機稼働温度として、−１９．５℃を設定し、圧縮機２０の稼働を停止させる圧縮機停止温度として、−２３℃を設定する。
【００２７】
次に、圧縮機２０が停止中か否か判断する（ステップＳ１２）。この判断で、圧縮機２０が停止中である（ＹＥＳ）と判別したときには、次に、冷凍室温度センサ７０の測定値ＴＦが、圧縮機稼働温度に到達したか否か判断する（ステップＳ１４）。この判断で、もし、冷凍室温度センサ７０の測定値ＴＦが圧縮機稼働温度に到達していない（ＮＯ）と判別したときには、この判断処理を繰り返す。ステップＳ１４の判断で、もし、冷凍室温度センサ７０の測定値ＴＦが圧縮機稼働温度に到達した（ＹＥＳ）と判別したときには、圧縮機２０の稼働を開始する制御処理を行い（ステップＳ１６）、ステップＳ１２の判断処理に戻る。
【００２８】
ステップＳ１２の判断で、もし、圧縮機２０が停止中ではない（ＮＯ）、つまり圧縮機２０が稼働中であると判別したときには、次に、冷凍室温度センサ７０の測定値ＴＦが、圧縮機停止温度に到達したか否か判断する（ステップＳ１８）。この判断で、もし、冷凍室温度センサ７０の測定値ＴＦが圧縮機停止温度に到達していない（ＮＯ）と判別したときには、この判断処理を繰り返す。ステップＳ１８の判断で、もし、冷凍室温度センサ７０の測定値ＴＦが圧縮機停止温度に到達した（ＹＥＳ）と判別したときには、圧縮機２０の稼働を停止する制御処理を行い（ステップＳ２０）、ステップＳ１２の判断処理に戻る。
【００２９】
（ダンパの制御）
図３Ｂは、図１Ａ、１Ｂに示す冷蔵庫におけるダンパ５０の制御の一例を示すフローチャートである。まず、第１の冷却パターンが選択されているか否か判断する（ステップＳ３０）。この判断で、もし、第１の冷却パターンが選択されている（ＹＥＳ）と判別したときには、第１の冷却パターンにおけるダンパ開閉のための温度データをメモリから読み出して設定する（ステップＳ３２）。具体的には、ダンパ５０を閉から開にするダンパ開温度として、６℃を設定し、ダンパ５０を開から閉にするダンパ閉温度として、−１℃を設定する。
【００３０】
ステップＳ３０の判断で、もし、第１の冷却パターンが選択されていない（ＮＯ）、つまり第２の冷却パターンが選択されていると判別したときには、第２の冷却パターンにおけるダンパ開閉のための温度データをメモリから読み出して設定する（ステップＳ３４）。具体的には、ダンパ５０を閉から開にするダンパ開温度として、４℃を設定し、ダンパ５０を開から閉にするダンパ閉温度として、−１℃を設定する。
第１の冷却パターン及び第２の冷却パターンを比較すると、ダンパ閉温度は同一であり、ダンパ開温度については、第１の冷却パターンの方が第２の冷却パターンより高い温度が設定されている。
【００３１】
次に、ダンパ５０が閉の状態になっているか否か判断する（ステップＳ３６）。この判断で、もし、ダンパ５０が開の状態になっている（ＹＥＳ）と判別したときには、次に、冷蔵室温度センサ６０の測定値ＴＲがダンパ開温度に到達したか否か判断する（ステップＳ３８）。この判断で、もし、冷蔵室温度センサ６０の測定値ＴＲがダンパ開温度に到達していない（ＮＯ）と判別したときには、この判断処理を繰り返す。ステップＳ３８の判断で、もし、冷蔵室温度センサ６０の測定値ＴＲがダンパ開温度に到達した（ＹＥＳ）と判別したときには、ダンパ５０を閉から開にする制御処理を行って（ステップＳ４０）、ステップＳ３６の判断処理に戻る。
【００３２】
ステップＳ３６の判断で、もし、ダンパ５０が閉の状態になっていない（ＮＯ）、つまり開の状態になっていると判別したときには、次に、冷蔵室温度センサ６０の測定値ＴＲがダンパ閉温度に到達したか否か判断する（ステップＳ４２）。この判断で、もし、冷蔵室温度センサ６０の測定値ＴＲがダンパ閉温度に到達していない（ＮＯ）と判別したときには、この判断処理を繰り返す。ステップＳ４２の判断で、もし、冷蔵室温度センサ６０の測定値ＴＲがダンパ閉温度に到達した（ＹＥＳ）と判別したときには、ダンパ５０を開から閉にする制御処理を行って（ステップＳ４４）、ステップＳ３６の判断処理に戻る。
【００３３】
（第１の冷却パターン及び第２の冷却パターンの比較）
図４は、図３Ａ、３Ｂに示す制御処理による冷蔵室８及び冷凍室１０の温度変化を示すグラフである。横軸が経過時間を示し、縦軸が温度を示す。圧縮機２０の稼働が開始して停止し、次に稼働が開始されるまでの期間を、１つの冷却サイクルとする。図４では、冷蔵室温度センサ６０の測定値ＴＲの１つの冷却サイクルにおける温度変化、及び冷凍室温度センサ７０の測定値ＴＦの１つの冷却サイクルにおける温度変化を個別に表す。また、第１の冷却パターンにおける温度変化を実線及び破線で示し、第２の冷却パターンにおける温度変化を実線で示す。第１の冷却パターンでは、第２の冷却パターンと同じ温度変化をする部分を実線で示し、第２の冷却パターンと異なる温度変化をする部分を破線で示す。
【００３４】
＜第２の冷却パターン＞
はじめに、第２の冷却パターンにおける１つの冷却サイクルでの温度変化を説明する。冷凍室温度センサ７０の測定値ＴＦが圧縮機稼働温度（−１９．５℃）到達すると、圧縮機２０の稼働が開始される（Ｓ’参照）。このとき、冷蔵室温度センサ６０の測定値ＴＲは、既にダンパ開温度（４℃）に到達しているので、ダンパ５０は開の状態になっている（Ｓ参照）。
これにより、蒸発器３０を通過した冷気が、冷蔵室８及び冷凍室１０の両方に流入して循環する。このとき、冷蔵室温度センサ６０の測定値ＴＲは下降する。一方、冷凍室温度センサ７０の測定値ＴＦは、冷蔵室８内を循環して暖まった気体が流入するので上昇する。
【００３５】
冷蔵室温度センサ６０の測定値ＴＲがダンパ閉温度（−１℃）に到達すると、開の状態のダンパ５０が閉じられる（Ａ参照）。冷気が冷凍室１０にのみ流入して循環するので、冷凍室温度センサ７０の測定値ＴＦは上昇から下降に転じる（Ａ’参照）。しかし、冷蔵室８には冷気が流入しなくなるので、冷蔵室温度センサ６０の測定値ＴＲは下降から上昇に転じる（Ａ参照）。このため、第２の冷却パターンの温度設定では、冷凍室温度センサ７０の測定値ＴＦが圧縮機停止温度（-２３℃）に到達する前に、冷蔵室温度センサ６０の測定値ＴＲがダンパ開温度（４℃）に到達する（Ｂ参照）。これにより、冷蔵室温度センサ６０の測定値ＴＲは上昇から下降に転じる。一方、冷蔵室８内を循環して暖まった気体が冷凍室１０に流入するので、冷凍室温度センサ７０の測定値ＴＦは、下降からが再び上昇に転じる（Ｂ’参照）。
【００３６】
そして、冷蔵室温度センサ６０の測定値ＴＲがダンパ閉温度（−１℃）に到達すると、開の状態のダンパ５０が閉じられる（Ｃ参照）。これにより、蒸発器３０を通過するときに冷却された冷気が冷凍室１０にのみ流入して循環するので、冷凍室温度センサ７０の測定値ＴＦが上昇から再び下降に転じる（Ｃ’参照）。そして、冷凍室温度センサ７０の測定値ＴＦが圧縮機停止温度（−２３℃）に到達したときに、圧縮機２０の稼働が停止する（Ｄ’参照）。
圧縮機２０の停止後、冷蔵室温度センサ６０の測定値ＴＲが上昇し、ダンパ開温度（４℃）に到達したときに、閉の状態のダンパ５０が開に変更される。また、冷凍室温度センサ７０の測定値ＴＦも上昇し、圧縮機稼働温度（−１９．５℃）に到達したときに、圧縮機２０の稼働が開始される（Ｅ’参照）。これにより、圧縮機２０の稼働が開始されて停止し、次に圧縮機２０の稼働が開始されるまでの第２の冷却パターンにおける１つの冷却サイクルが完了する。
【００３７】
第２の冷却パターンでは、圧縮機２０の稼働期間中に、ダンパ５０の開閉が複数回行われる。これにより、冷蔵室８を強く冷却することはできるが、冷凍室温度センサ７０の測定値ＴＦは、下降及び上昇を繰り返す。よって、圧縮機２０の稼働期間及び１つの冷却サイクルの期間が長くなる傾向を示す。
【００３８】
＜第１の冷却パターン＞
次に、第１の冷却パターンにおける１つの冷却サイクルの温度変化を説明する。実線で示す部分の温度は第２の冷却パターンと同様であり、破線で示す部分の温度が、第１の冷却パターンと異なる。
冷凍室温度センサ７０の測定値ＴＦが圧縮機稼働温度（−１９．５℃）到達すると、圧縮機２０の稼働が開始される（Ｓ参照）。このとき、冷蔵室温度センサ６０の測定値ＴＲは、既にダンパ開温度（４℃）に到達しているので、ダンパ５０は開の状態になっている（Ｓ’参照）。
これにより、蒸発器３０を通過した冷気が、冷蔵室８及び冷凍室１０の両方に流入して循環する。このとき、冷蔵室温度センサ６０の測定値ＴＲは下降する。一方、冷凍室温度センサ７０の測定値ＴＦは、冷蔵室８内を循環して暖まった気体が流入するので上昇する。
【００３９】
冷蔵室温度センサ６０の測定値ＴＲがダンパ閉温度（−１℃）に到達すると、開の状態のダンパ５０が閉じられる（Ａ参照）。冷気が冷凍室１０にのみ流入して循環するので、冷凍室温度センサ７０の測定値ＴＦは上昇から下降に転じる（Ａ’参照）。しかし、冷蔵室８には冷気が流入しなくなるので、冷蔵室温度センサ６０の測定値ＴＲは下降から上昇に転じる（Ａ参照）。
【００４０】
第１の冷却パターンのダンパ開温度（６℃）は、第２の冷却パターンのダンパ開温度（４℃）より高く設定されている。このため、第１の冷却パターンでは、冷蔵室温度センサ６０の測定値ＴＲがダンパ開温度（６℃）に到達する前に、冷凍室温度センサ７０の測定値ＴＦが圧縮機停止温度（−２３℃）に到達し、圧縮機２０の稼働が停止する（Ｆ’参照）。
圧縮機２０の停止後、冷蔵室温度センサ６０の測定値ＴＲが上昇し、ダンパ開温度（６℃）に到達したときに、閉の状態のダンパが開に変更される。また、冷凍室温度センサ７０の測定値ＴＦも上昇し、圧縮機稼働温度（−１９．５℃）に到達したときに、圧縮機２０の稼働が開始される（Ｇ’参照）。これにより、圧縮機２０の稼働が開始されて停止し、次に圧縮機２０の稼働が開始されるまでの第１の冷却パターンにおける１つの冷却サイクルが完了する。
【００４１】
第１の冷却パターンのダンパ開温度が、第２の冷却パターンのダンパ開温度よりも高く設定されているので、第１の冷却パターンで冷却制御されるとき、圧縮機２０の稼働期間中に、ダンパ５０の開閉が一度だけ行われる。これにより、冷凍室温度センサ７０の測定値ＴＦは、圧縮機停止温度に到達するまで下降を続ける。よって、冷凍室１０内を効率的に冷却することができ、圧縮機２０の稼働期間及び１つの冷却サイクルの期間を第２の冷却パターンに比べて短くすることができる。
【００４２】
以上のように、第１の冷却パターンでは、通常の使用状態において、ダンパ５０が閉の状態で圧縮機２０が稼働しているときに、冷蔵室温度センサ６０の測定値ＴＲがダンパ開温度に到達する前に、冷凍室温度センサ７０の測定値ＴＦが圧縮機停止温度に到達するように温度設定されている。これにより、圧縮機２０が停止する前に、閉の状態のダンパ５０が開かれることがなく、冷凍室１０を効率的に冷却することができる。よって、圧縮機２０の稼働時間を短縮して、圧縮機２０の運転率を低減することにより、エネルギ消費を抑制可能な冷蔵庫２を提供することができる。
【００４３】
特に、第１の冷却パターンでは、圧縮機２０の稼働期間中に、ダンパ５０の開閉が一度だけ行われる。これにより、圧縮機２０の稼働時間を確実に短縮して、その運転率を低減することができる。
【００４４】
一方、第２の冷却パターンでは、通常の使用状態において、ダンパ５０が閉の状態で圧縮機２０が稼働しているときに、冷凍室温度センサ７０の測定値ＴＦが圧縮機停止温度に到達する前に、冷蔵室温度センサ６０の測定値ＴＲがダンパ開温度に到達するように温度設定されている。よって、第２の冷却パターンを選択した場合には、ダンパ５０が開になる機会を増やして、冷蔵室８を効果的に冷却することができる。
【００４５】
特に、第２の冷却パターンでは、圧縮機２０の稼働期間中に、ダンパ５０の開閉が複数回行われるので、冷蔵室８を効果的に冷却することができる。よって、特に、冷蔵室８を強く冷却する必要がある場合に有効である。
【００４６】
＜冷却モード＞
例えば、冷蔵室８を冷却するモードとして、通常冷却するモード及び強冷却するモードが設定されている場合がある。このような場合、通常冷却するモードでは、第１の冷却パターンで冷却の制御を行い、強冷却するモードでは、第２の冷却パターンで冷却制御を行うことが好ましい。
【００４７】
これにより、冷蔵室８を通常冷却するモードでは、第１の冷却パターンにより、エネルギ消費を抑制可能な運転を行い、強冷却するモードでは、第２の冷却パターンにより、冷蔵室８を効果的に冷却する運転を行うことができる。つまり、用途に応じた最適な運転を実現できる。
【００４８】
第１の冷却パターン及び第２の冷却パターンにおける圧縮機稼働温度、圧縮機停止温度、ダンパ開温度及びダンパ閉温度の具体的な設定値については、上記の数値に限られるものではない。冷蔵庫の機種による断熱特性の違いや組み立て時のばらつき等に応じて、任意の最適な値を設定することができる。また、実際に冷蔵庫を稼働させた後、設定値を調整できるようにすることもできる。更に、学習制御等により、制御部１００によって、自動的に最適な設定値に変更するように構成することもできる。
【００４９】
（実施例）
次に、上記の実施形態に係る冷蔵庫２を実際に稼働させて、冷蔵室温度センサ６０の測定値ＴＲ及び冷凍室温度センサ７０の測定値ＴＦを得た実施例の説明を行う。図５Ａは、本発明の１つの実施形態に係る冷蔵庫２を実際に第１の冷却パターンで稼働させて計測した、冷蔵室８及び冷凍室１０の温度、並びに圧縮機２０の駆動モータの電流値の測定データを示すグラフである。図５Ｂは、本発明の１つの実施形態に係る冷蔵庫２を実際に第２の冷却パターンで稼働させて計測した、冷蔵室８及び冷凍室１０の温度、並びに圧縮機２０の駆動モータの電流値の測定データを示すグラフである。
【００５０】
図５Ａに示すように、第１の冷却パターンでは、ダンパ５０が閉の状態で圧縮機２０が稼働しているときに、冷蔵室温度センサ６０の測定値ＴＲがダンパ開温度に到達する前に、冷凍室温度センサ７０の測定値ＴＦが圧縮機停止温度に到達した。よって、圧縮機２０の稼働期間中に、ダンパ５０の開閉が一度だけ行われた。これにより、１つの冷却サイクル期間が約８０秒となった。
【００５１】
以上のように、上記の実施形態に係る冷蔵庫２において、第１の冷却パターンで冷却制御することにより、圧縮機２０の稼働時間を確実に短縮して、圧縮機２０の運転率を低減することにより、エネルギ消費を抑制できることが実証された。
【００５２】
図５Ｂに示すように、第２の冷却パターンでは、ダンパ５０が閉の状態で圧縮機２０が稼働しているときに、冷凍室温度センサ７０の測定値ＴＦが圧縮機停止温度に到達する前に、冷蔵室温度センサ６０の測定値ＴＲがダンパ開温度に到達した。よって、圧縮機２０の稼働期間中に、ダンパ５０の開閉が複数回行われた。これにより、１つの冷却サイクル期間が約１２０秒となった。
【００５３】
以上のように、上記の実施形態に係る冷蔵庫２において、第２の冷却パターンで冷却制御することにより、ダンパ５０が開になる機会を増やして、冷蔵室８を効果的に冷却して、強く冷却する場合に適確に対応できることが実証された。
また、第１の冷却パターンにおける１つの冷却サイクル期間が、第２の冷却パターンにおける１つの冷却サイクル期間よりも短くなることが実証された。
【００５４】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００５５】
２              冷蔵庫
４              筐体
４Ａ    仕切部
４Ｂ    ダクト
６Ａ    上扉
６Ｂ    下扉
８      冷蔵室
１０    冷凍室
２０    圧縮機
３０    蒸発器
４０    循環ファン
５０    ダンパ
６０    冷蔵室温度センサ
７０    冷凍室温度センサ
１００  制御部
【図１Ａ】
2020051692.tif 000003
【図１Ｂ】
2020051692.tif 000004
【図２】
2020051692.tif 000005
【図３Ａ】
2020051692.tif 000006
【図３Ｂ】
2020051692.tif 000007
【図４】
2020051692.tif 000008
【図５Ａ】
2020051692.tif 000009
【図５Ｂ】
2020051692.tif 000010